(57)【要約】  記録されたデータシーケンスの１以上の部分をマークする方法、及びデータバッファ（１７）と、記録ユニット（１８）と、データバッファ（１７）に保存された記録されたデータシーケンスの表現を表示し機能キー（１３乃至１５）からユーザ入力を受信するためのプロセッサ（１１）とを有する記録装置。前記プロセッサは、範囲を、第１のサブ範囲と第２のサブ範囲とに分割するように構成される。ポインタがマークされていないデータの範囲にあり、機能キー（１４及び１５）から第１の機能の入力が受信された場合、前記第１のサブ範囲がマーク解除され、前記第２のサブ範囲がマークされる。ポインタがマークされたデータの範囲にあり、機能キー（１４及び１５）から第２の機能の入力が受信された場合、前記第１のサブ範囲がマークされ、前記第２のサブ範囲がマーク解除される。
2007518208.tif 000002
【特許請求の範囲】
【請求項１】
記録されたデータシーケンスの１以上の部分をマークする方法であって、
前記記録されたデータシーケンスの表現を表示するステップと、
範囲開始点と範囲終了点との間にポインタを配置することによりデータの範囲を選択するステップと、
前記範囲を、前記範囲開始点から前記ポインタまでのデータを有する第１のサブ範囲と、前記ポインタから前記範囲終了点までのデータを有する第２のサブ範囲とに分割するステップと、
前記ポインタがマークされていないデータの範囲にあり第１の機能が選択された場合、前記第１のサブ範囲をマーク解除し、前記第２のサブ範囲をマークするステップと、
前記ポインタがマークされたデータの範囲にあり第２の機能が選択された場合、前記第１のサブ範囲をマークし、前記第２のサブ範囲をマーク解除するステップと、
を有する方法。
【請求項２】
前記第１又は第２の機能が２回目に選択され、前記ポインタが１回目のときと同じ位置にある場合、マークされたサブ範囲とマークされていないサブ範囲とを反転させるステップを更に有する、請求項１に記載の方法。
【請求項３】
前記第１又は第２の機能が３回目に選択され、前記ポインタが１回目及び２回目のときと同じ位置にある場合、前記サブ範囲の両方をマークするステップを更に有する、請求項２に記載の方法。
【請求項４】
前記記録されたデータシーケンスは一時的に保存されたデータシーケンスであり、前記方法は、前記一時的に保存されたデータシーケンスのうちマークされたサブ範囲を保存するステップを更に有する、請求項１乃至３のいずれか一項に記載の方法。
【請求項５】
前記マークされたサブ範囲を永久的な又は半永久的な記憶媒体に保存するステップを更に有する、請求項４に記載の方法。
【請求項６】
オーディオ又はビデオ番組の一部を選択する方法であって、
前記番組の表現を表示するステップと、
ポインタを前記表現中の第１の位置に移動させるステップと、
前記第１の位置から前記表現の末尾まで延在する前記番組の部分をマークするための伸張機能を実行するステップと、
前記ポインタを、前記番組の前記マークされた部分中の第２の位置に移動させるステップと、
前記第２の位置から前記表現の末尾まで延在する前記番組の部分を、マークされていないものとして定義するための切り取り機能を実行するステップと、
を有する方法。
【請求項７】
データバッファと、データを媒体に保存するための記録ユニットと、前記データバッファ及び前記記録ユニットに接続されたプロセッサとを有する記録装置であって、前記プロセッサは、前記データバッファに保存された記録されたデータシーケンスの表現を表示し、機能キーからのユーザ入力を受信するように構成され、前記機能キーのうち第１の機能キーは、範囲開始点と範囲終了点との間にポインタを配置することにより、データの範囲を選択することを可能とするように構成され、前記プロセッサは更に、
前記範囲を、前記範囲開始点から前記ポインタまでのデータを有する第１のサブ範囲と、前記ポインタから前記範囲終了点までのデータを有する第２のサブ範囲とに分割し、
前記ポインタがマークされていないデータの範囲にあり第１の機能の入力が前記機能キーから受信された場合、前記第１のサブ範囲をマーク解除し、前記第２のサブ範囲をマークし、
前記ポインタがマークされたデータの範囲にあり第２の機能の入力が前記機能キーから受信された場合、前記第１のサブ範囲をマークし、前記第２のサブ範囲をマーク解除するように構成された記録装置。
【請求項８】
前記プロセッサは更に、前記第１又は第２の機能が２回目に受信され、前記ポインタが１回目のときと同じ位置にある場合、マークされたサブ範囲とマークされていないサブ範囲とを反転させるように構成された、請求項７に記載の記録装置。
【請求項９】
前記プロセッサは更に、前記第１又は第２の機能が３回目に選択され、前記ポインタが１回目及び２回目のときと同じ位置にある場合、前記サブ範囲の両方をマークするように構成された、請求項７又は８に記載の記録装置。
【請求項１０】
前記第１の機能の入力が専用の伸張キーから受信され、前記第２の機能の入力が専用の切り取りキーから受信される、請求項７乃至９のいずれか一項に記載の記録装置。
【請求項１１】
前記第１の機能の入力及び前記第２の機能の入力が単一の入力キーから受信される、請求項７乃至９のいずれか一項に記載の記録装置。
【請求項１２】
前記記録されたデータシーケンスは一時的に保存されたデータシーケンスであり、前記プロセッサは、前記一時的に保存されたデータシーケンスのうちマークされたサブ範囲を保存するように構成された、請求項７乃至１１のいずれか一項に記載の記録装置。
【請求項１３】
前記プロセッサは更に、前記記録ユニットを利用して、前記マークされたサブ範囲を永久的な又は半永久的な記憶媒体に保存するように構成された、請求項１２に記載の記録装置。
【発明の詳細な説明】
【技術分野】
【０００１】
本発明は、記録されたデータシーケンスの表現を表示するステップを有する、オーディオ又はビデオ番組のような、記録されたデータシーケンスの１以上の部分をマークする方法に関する。更に本発明は、例えば半導体メモリのようなデータバッファを有する記録装置、ハードディスク又は光ディスクのような媒体にデータを保存する記録ユニット、並びに前記データバッファ及び前記記録ユニットに接続されたプロセッサに関する。前記プロセッサは、前記データバッファに保存された記録されたデータシーケンスの表現を表示し、機能キーからユーザ入力を受信するように構成される。
【背景技術】
【０００２】
既存の記録装置においては、記録されたデータシーケンスからパッセージ又は一部を選択し、該選択されたパッセージのみを再生することが可能である。該選択は、先頭インデクスポインタと末尾インデクスポインタとを入力することにより為され、その後に前記記録装置が該選択されたパッセージ（Ａ−Ｂ）を再生することができる。
【０００３】
米国特許ＵＳ−Ａ−５９０３２６４は、インデクシング・スライダバー（slider bar）を表示するビデオ配信システム及び方法を記載している。テレビジョン画面上に、スライダバーがインデクスマーカと共に表示される。ユーザはスライダバー上でインデクスマーカを移動させ、ビデオストリーム又はビデオ番組中のどの位置に該ユーザがジャンプしたいかを示す。ユーザインタフェースは、インデクスマーカのスライダバー上の位置を変更するためのボタンを有する。
【０００４】
国際特許出願公開ＷＯ０２／０８４６６７は、画像シーケンスにおける位置を選択する方法及びシステムを開示している。位置インジケータを伴う、細長いバーの形をとる画像シーケンスの表現がテレビジョン画面上に示される。また、画像シーケンスからのキーフレームが、該細長いバーにおける当該キーフレームの位置の表示と共に、より小さな形式で表示される。
【発明の開示】
【発明が解決しようとする課題】
【０００５】
本発明の目的は、既存の選択方法よりも直感的で且つ効率的に動作する、（半）永久的な保存のためオーディオ及び／又はビデオ記録データの一部を選択するための、改善された選択方法を提供することにある。
【課題を解決するための手段】
【０００６】
本発明によれば、上述に定義されたプリアンブルによる方法であって、更に範囲開始点と範囲終了点と（例えば記録された番組の先頭と末尾と）の間にポインタを配置することによりデータの範囲を選択するステップと、前記範囲を、前記範囲開始点から前記ポインタまでのデータを有する第１のサブ範囲と、前記ポインタから前記範囲終了点までのデータを有する第２のサブ範囲とに分割するステップと、前記ポインタがマークされていないデータの範囲にあり第１の機能（伸張（Expand））が選択された場合、前記第１のサブ範囲をマーク解除し、前記第２のサブ範囲をマークするステップと、前記ポインタがマークされたデータの範囲にあり第２の機能（切り取り（Truncate））が選択された場合、前記第１のサブ範囲をマークし、前記第２のサブ範囲をマーク解除するステップと、を有する方法が提供される。前記ポインタを設定するステップ及び伸張又は切り取り機能を実行するステップは、記録されたシーケンスの複数のマークされた部分を供給するため繰り返されても良い。
【０００７】
本方法は、記録されたデータシーケンスの１以上の部分をマーク又は選択するための、効率的で首尾一貫した方法を提供する。本方法は、記録されたデータシーケンスの部分をマークするための、ユーザフレンドリで直感的な方法を提供する。前記第１又は第２の機能の起動は、例えば「伸張」とラベル表示されたキーと「切り取り」とラベル表示されたキーとのように、別個のユーザの動作を利用して提供されても良い。代替として、前記機能に関連する動作は前記ポインタの位置に依存するため、前記第１及び第２の機能は、例えば「マーク」とラベル表示されたキーのように、単一の動作を利用して提供されても良い。
【０００８】
更なる実施例においては、本方法は更に、前記第１又は第２の機能が２回目に選択され、前記ポインタが１回目のときと同じ位置にある場合、マークされたサブ範囲とマークされていないサブ範囲とを反転させるステップを有しても良い。斯かるトグル機能は、特に単一のキーが前記第１及び第２の機能の両方を実施化する場合に、非常に有用である。前記トグル機能は、最初の選択のために特に有用である。なぜならこの場合には通常選択された範囲がマークされておらず、前記第１の機能の実行のみが可能となってしまうからである。
【０００９】
更なる実施例においては、前記トグル方法は更に、複数の効果に拡張され得る。前記方法はこのとき更に、前記第１又は第２の機能が３回目に選択され、前記ポインタが１回目及び２回目のときと同じ位置にある場合、前記サブ範囲の両方をマークするステップを有する。このことは、いずれの付加的なハードウェアを必要とすることなく、本方法の機能を更に拡張する。
【００１０】
前記記録されたデータシーケンスは（例えば記録装置における半導体メモリを利用して）一時的に保存されたデータシーケンスであり、前記方法は、前記一時的に保存されたデータシーケンスのうちマークされたサブ範囲を保存するステップを更に有しても良い。本実施例を利用することにより、例えばユーザが、いずれの所望しない部分（例えばコマーシャル）もない記録されたデータシーケンスの部分を選択し、該選択された部分のみを保存することが可能となる。このようにして、特に前記方法が前記マークされたサブ範囲を永久的な又は半永久的な記憶媒体に保存するステップを有する更なる実施例において、記録装置の記憶容量の利用がより効率的となり得る。斯かる記憶媒体は例えば光（再書き込み可能）ディスク、又はハードディスクのような磁気記憶媒体であっても良い。
【００１１】
また本発明は、オーディオ又はビデオ番組の一部を選択する方法であって、前記番組の表現を表示するステップと、ポインタを前記表現中の第１の位置に移動させるステップと、前記第１の位置から前記表現の末尾まで延在する前記番組の部分をマークするための伸張機能を実行するステップと、前記ポインタを、前記番組の前記マークされた部分中の第２の位置に移動させるステップと、前記第２の位置から前記表現の末尾まで延在する前記番組の部分を、マークされていないものとして定義するための切り取り機能を実行するステップと、を有する方法に関する。
【００１２】
更なる態様においては本発明は、上述のように定義された記録装置であって、プロセッサが更に機能キーからのユーザ入力を受信するように構成され、前記機能キーのうち第１の機能キーは、範囲開始点と範囲終了点との間にポインタを配置することにより、データの範囲を選択することを可能とするように構成され、前記プロセッサは更に、前記範囲を、前記範囲開始点から前記ポインタまでのデータを有する第１のサブ範囲と、前記ポインタから前記範囲終了点までのデータを有する第２のサブ範囲とに分割し、前記ポインタがマークされていないデータの範囲にあり第１の機能の入力が前記機能キーから受信された場合、前記第１のサブ範囲をマーク解除し、前記第２のサブ範囲をマークし、前記ポインタがマークされたデータの範囲にあり第２の機能の入力が前記機能キーから受信された場合、前記第１のサブ範囲をマークし、前記第２のサブ範囲をマーク解除するように構成された記録装置に関する。
【００１３】
前記記録装置は、記録されたデータシーケンスが最初に、例えば半導体メモリユニットを有するような（一時保存用）バッファに記録される、ハードディスクレコーダとして実装されても良い。また前記記録装置は、ハードディスク上の記録されたデータシーケンスが再び一時記録としてみなされ得る、ハードディスクとＤＶＤレコーダとの組み合わせであっても良い。このとき、後述するように、本発明がＤＶＤ（ＤＶＤ＋Ｒ又はＤＶＤ＋ＲＷのような）又はＢｌｕ−Ｒａｙディスクへの保存のための記録の特定の部分をマークするために適用され得る。
【００１４】
更なる実施例においては、前記プロセッサは更に、前記第１又は第２の機能が２回目に受信され、前記ポインタが１回目のときと同じ位置にある場合、マークされたサブ範囲とマークされていないサブ範囲とを反転させるように構成される。該トグル機能は、前記第１の機能及び前記第２の機能の両方をアクティブにするために単一のキーを利用する場合に、特に有用である。
【００１５】
本記録装置の実施例においては、前記第１の機能の入力が専用の伸張キーから受信され、前記第２の機能の入力が専用の切り取りキーから受信される。２つのキーを持つことは付加的なハードウェアを必要とする欠点を持つが、本方法の処理はより単純にされ得る。
【００１６】
代替として、前記第１の機能の入力及び前記第２の機能の入力が単一の入力キー（マーキングキー）から受信される。キーの押下に関連する動作は、ポインタの位置がマークされたエリアにあるかマークされていないエリアにあるかに依存するため、このことは本発明を非常に効果的な態様で実装することを可能とする。
【００１７】
前記記録されたデータシーケンスは一時的に保存されたデータシーケンスであり、前記プロセッサは、前記一時的に保存されたデータシーケンスのうちマークされたサブ範囲を保存するように構成されても良い。更なる実施例においては、前記プロセッサは更に、前記記録ユニットを利用して、前記マークされたサブ範囲を永久的な又は半永久的な記憶媒体に保存するように構成されても良い。
【００１８】
本発明の記録装置は、単一のキーの押下を利用して、記録されたデータシーケンスの１以上のサブ範囲即ち部分を選択するために利用されても良い。記録されたデータシーケンスの範囲が２つのサブ範囲に分割され、そのうち一方のみが記録のために選択されても良い。
【００１９】
本発明は、添付図面を参照しながら、幾つかの実施例を用いて、より詳細に以下議論されるであろう。
【発明を実施するための最良の形態】
【００２０】
図１は、本発明の実施例による、記録されたデータシーケンスの一部を選択するための構成を有する、記録装置１０を模式的に示す。
【００２１】
記録されたデータシーケンスの一部を選択するための記録装置１０は、マイクロプロセッサ１１と、システムバス１２を介して相互接続された他の幾つかのユニットとを有する。テレビジョン放送信号を受信しＴＶ番組を表すデータストリーム又はデータシーケンスを供給するように構成されたＣＡＴＶ（ケーブルテレビジョン）受信器のようなデータ源１６は、システムバス１２に接続される。またテレビジョン番組を一時的に保存するように構成されたバッファ１７と、ＨＤ（ハードディスク）ドライブ１８とが、バス１２に接続される。バッファ１７は、ランダムアクセスメモリのような半導体メモリを有しても良い。更に、マイクロプロセッサ１１に入力及び出力機能を備えるために、入力／出力ユニット（Ｉ／Ｏ）２０がシステムバス１２に接続される。ディスプレイを記録装置１０に接続するように構成されたディスプレイドライバ１９が該Ｉ／Ｏユニット２０に接続され、ポインタボタン１３、伸張ボタン１４及び切り取りボタン１５もまた該Ｉ／Ｏユニット２０に接続される。これらボタン１３乃至１５は、記録装置１０上のハードウェアのボタンとして構成されても良いが、例えば記録装置１０を制御するために利用されるリモートコントロールユニット上に存在しても良い。
【００２２】
マイクロプロセッサ１１は、データ源１６からのデータを処理し、該データをバッファ１７に保存するように構成される。記録の終了の後に、バッファ１７からのデータが、後の再生のためにハードディスクドライブ１８に保存されても良い。マイクロプロセッサ１１はまた、バッファ１７又はハードディスクドライブ１８にセーブされたテレビジョン番組の表現を取得し、ディスプレイにおける前記テレビジョン番組の表現の表示のために該表現をディスプレイドライバ１９に供給するように構成される。前記ディスプレイは、例えばコンピュータ画面又は市販されているテレビジョンセットであっても良い。
【００２３】
マイクロプロセッサ１１は更に、ディスプレイ上の番組の表現における第１の位置へとポインタを移動させるように構成される。例えば、マイクロプロセッサ１１はデフォルトで、テレビジョン番組の表現の、該テレビジョン番組の開始を表す点へとポインタを移動させるように構成されても良い。
【００２４】
マイクロプロセッサ１１は更に、ポインタボタン１３における入力に依存して、番組の表現においてポインタを移動させるように構成される。例えば、本発明の有利な実施例においては、ポインタボタン１３は例えばジョイスティックの形をとる二重動作スイッチであっても良く、テレビジョン番組の表現の、視聴者が関心を持ち記録したいと所望する該番組のセクションの先頭に対応する点にポインタを配置するために、該番組の表現における第１の位置から左又は右へと該ポインタを移動させるように構成されても良い。
【００２５】
マイクロプロセッサ１１は更に、伸張ボタン１４又は切り取りボタン１５から入力を取得するように構成される。
【００２６】
本発明の有利な実施例においては、視聴者は、以下に説明されるような本発明の選択方法によって、テレビジョン番組のうちのハードディスク１８へ記録する部分を選択するために、ポインタボタン１３、伸張ボタン１４及び切り取りボタン１５を利用し得る（以下を参照のこと）。
【００２７】
上述の実施例は、マイクロプロセッサ１１に関連して説明された。専用の電子回路（アナログ、ディジタル又はハイブリッド）のような、本発明による方法を実行するように適切に構成された他のタイプの制御ユニットが利用されても良いことは理解されるであろう。
【００２８】
また上述の実施例は、記録データのうち選択された部分のハードディスク１８への保存に関連して説明された。他のタイプの（半）永久的記憶装置が利用されも良いことは理解されるであろう。例としては（これらに限定されるものではないが）、光ディスク記憶装置（（再書き込み可能な）ＣＤ、ＤＶＤ、Ｂｌｕ−ｒａｙディスク）、磁気媒体記憶装置（ハードディスク、テープ等）等、又は例えばＤＶＤ−ＨＤレコーダのような永久的な記憶媒体の組み合わせられたタイプを備えるレコーダであっても良い。
【００２９】
例えばハードディスク記録ユニットとＤＶＤ記録ユニットとの両方を持つレコーダのような、２つのタイプの（半）永久的記憶装置を有する実施例の場合には、本発明の方法が、ハードディスク記録ユニットに保存されたビデオ番組（の一部）に適用され、マーク又は選択された部分をＤＶＤ記録ユニットに保存するために適用されても良い。このことは、番組がハードディスク記録ユニット（大きな記憶容量を持つ）に記録されることができ、該番組の特定の部分（例えばコマーシャルのない放送番組）のみが選択され、一度書き込み可能なＤＶＤ（例えばＤＶＤ＋Ｒ）に永久的に記録され、これにより永久的な記録媒体を非常に効率的に利用することができるという利点を提供する。
【００３０】
上述の実施例においては、ＣＡＴＶ受信器のビデオ及びオーディオデータのようなデータを記録装置１０に供給するデータ源１６が特定された。チューナ、衛星受信器、ディジタル地上波テレビジョン受信器、セットトップボックス等のような他のデータ源１６が、ビデオ及び／又はオーディオデータ（又は更に他のデータも）を記録装置１０に供給しても良い。
【００３１】
ハードディスクレコーダ１０においては、記録されたＴＶ番組は一時的にバッファ１７に保存される。ユーザは、番組がセーブされる必要があること、即ちバッファ１７がもはや存在しなくなっても該番組がハードディスク１８に保持される必要があることを指示することができる。
【００３２】
本発明による方法は、必要なだけの番組の部分を、２つ機能のみを用いてマーク及び選択する、首尾一貫したユーザインタフェースを提供する。従来の選択は、点をマークし、ポインタを移動させ、他の点をマークすることにより為されていた。本発明による方法は、従来の選択が利用されることができない又は望ましくない状況における、改善された選択手順である。
【００３３】
本発明の重要な特徴は、番組の部分をマークし、複数の部分が記録のためにセーブされるようにする、首尾一貫したナビゲーションである。例えば２つのキーを押下することにより、２つの機能を交互に実行することが、任意の位置で必要なだけのエリアを必要に応じてマークすることを可能とする。これらの機能はここで、図２乃至４を参照しながら、より詳細に説明される。
【００３４】
或る番組が一時保存バッファ１７において開始位置Ａ及び終了位置Ｂを持ち、ｐ、ｑ、ｒ及びｓが該番組における点であるとする（ｐ＜ｑ＜ｒ＜ｓ）。該番組を表すエリアをナビゲートするために、ポインタが利用されることができる。２つのキー１４及び１５があり、これらそれぞれに２つの別個の機能「伸張」と「切り取り」とがマッピングされても良い。
【００３５】
第１の実施例においては、伸張機能はマークされていないエリアにおいてのみ動作し、一方で切り取り機能は前記番組中のマークされたエリアにおいてのみ動作する。伸張機能は、前記エリアを、ポインタ位置から前記番組の終了まで又は他のエリアの開始まで伸張する。切り取り機能は、マークされたエリアを、ポインタ位置から前記番組の終了まで又は他のエリアの開始まで切り取る。
【００３６】
図２において示されるように、ポインタが位置ｐ（マークされていないエリア中）にあり、ユーザが「伸張」を押下した場合、エリア即ちサブ範囲ｐ乃至Ｂがマークされる（左図）。ｐがマークされたエリアにあり、ユーザが「切り取り」を押下した場合、エリア即ちサブ範囲ｐ乃至Ｂがマークを解除される（右図）。
【００３７】
図２の左部において、ユーザがエリアＡ乃至ｐ中の任意の点に移動し「伸張」を再び押下した場合、このことは単にマークされたエリアの開始点を移動させる。しかしながら図３に示されるように、ポインタがエリアｐ乃至Ｂ（位置ｑ）にあるときにユーザが「切り取り」を押下した場合、エリアｐ乃至ｑがマークされ、エリアｑ乃至Ｂがマークを解除される。
【００３８】
同様に、図２の右部において、ユーザがエリアｐ乃至Ｂ中の任意の位置に移動し「切り取り」を再び押下した場合、このことは単にマークされたエリアの終了点を移動させる。しかしながら図３に示されるように、ポインタがエリアｐ乃至Ｂ（位置ｑ）にあるときにユーザが「伸張」を押下した場合、エリアＡ乃至ｐは影響を受けず、エリアｑ乃至Ｂがマークされ、エリアｑ乃至ＢもがＡ乃至Ｂにおける全体のマークされたエリアに属することとなる。
【００３９】
図４に示すように、マークされた及びマークされていないエリアから「伸張」と「切り取り」とを交互に押下することは、必要なだけの部分（サブ範囲）に番組Ａ乃至Ｂを分割することに帰着する。最も右のエリアに移動することが有用である。他のいずれかの位置からの全ての伸張又は切り取りは、単に位置ｐ、ｑ、ｒ及びｓの再配置に帰着する。互いに隣り合うエリアは、他方の反転であることに留意されたい。このことも、本方法を首尾一貫したものとするものである。
【００４０】
上述の実施例においては、伸張機能と切り取り機能とは、２つの別個のキー１４及び１５にマッピングされた。かくして本実施例においては、拡張キー１４と切り取りキー１５とがある。上述したように、伸張機能はマークされていないエリアにおいてのみ動作し、切り取り機能はマークされたエリアにおいてのみ動作する。他の実施例においては、伸張機能及び切り取り機能は、例えばマーキングキーと呼ばれる単一のキーにマッピングされ、図１のキー１４及び１５の一方を利用して実装される。ポインタがマークされていないエリアにあるときに前記マーキングキーを押下することは伸張機能の実行に帰着し、一方でポインタがマークされたエリアにあるときに前記マーキングキーを押下することは切り取り機能の実行に帰着する。本実施例は、例えばリモートコントローラのような操作装置上に１つのキーのみしか必要とされないこと、及びユーザが１つのキーのみしか操作する必要がないことという、更なる利点を持つ。
【００４１】
更なる実施例においては、上述の実施例におけるように、単一のキーが利用される。しかしながら、本方法が最初に利用されるときに、番組Ａ乃至Ｂがマークされていない場合があり、ユーザが切り取り機能から開始したいと欲しても、上述の実施例ではそれが不可能である。この問題は、ポインタが同じ位置にある場合に前記マーキングキーの機能をトグルすることにより解決される。かくして、ユーザが番組Ａ乃至Ｂのマークされていないエリア中の位置ｐにポインタをセットし、最初にキーを押下すると、伸張機能が利用され、図４の２列目の左図の状況に帰着する。ポインタを同じインデクス位置に保ったまま前記マーキングキーを再び押下すると、番組Ａ乃至Ｂにおける選択されたエリアのマーク／マーク解除が反転され、図２の２列目の右図における状況に帰着する。この後、ユーザは上述のとおり手順を進めることができる。
【００４２】
更なる実施例においては、前記マーキングキーの複数回の操作は、他の効果を持っても良い。ポインタが位置ｐにあるマークされていないエリアＡ乃至Ｂにおいて、最初の押下がサブエリアｐ乃至Ｂをマークし、Ａ乃至ｐをマークされていないまま残しても良い。２回目の押下がこれらサブエリアを反転させても良い。即ち、サブエリアＡ乃至ｐをマークし、サブエリアｐ乃至Ｂをマーク解除する。３回目の押下が、エリアＡ乃至Ｂ全体をマークしても良い。
【００４３】
本発明による方法は、ハードディスクレコーダ、又はハードディスクとＤＶＤとの兼備レコーダにおいて利用されることができる。しかしながら、本方法はまた、番組又は記録データの部分が選択される必要がある他の機器においても適用され得る。典型的な用途分野は、オーディオ及び／又はビデオデータが存在し、これらのデータが表示装置上でユーザに提示される場合である。例えば、前記データが表示装置上でユーザに提示されるバーによって提示されても良く、該バーにおける位置がデータ選択されたエリア（例えば図４左図におけるｐ乃至ｑ）における時間的な位置に対応し、該エリアが新たなデータエリアＡ乃至Ｂとみなされ、本発明が再び適用されても良い。
【図面の簡単な説明】
【００４４】
【図１】本発明の実施例による、記録されたデータシーケンスの一部を選択する方法を利用する記録装置の模式的な説明図を示す。
【図２】本発明の方法を説明する、番組の模式的な表現を示す。
【図３】本発明の方法を説明する、番組の模式的な表現を示す。
【図４】本発明の方法を説明する、番組の模式的な表現を示す。
【図１】
2007518208.tif 000003
【図２】
2007518208.tif 000004
【図３】
2007518208.tif 000005
【図４】
2007518208.tif 000006
【国際調査報告】
2007518208.tif 000007
2007518208.tif 000008
2007518208.tif 000009